(57)【特許請求の範囲】
【請求項１】
コイル状に巻かれているフィルム（１３）から種々の寸法のブック要素（１２）用のジャケット（１１）を連続的に形成する組立体（１０）であって、
フィルム片（１６）を形成するように、コイル（１４）から巻出されたフィルム（１３）を切断する切断手段（２５，３５）と、
フィルム片（１６）の第１の端部（１８）を折畳む第１の折畳み装置（１７，２７，３７）と、
フィルム片（１６）の第２の端部（２０）を折畳む第２の折畳み装置（１９，３９，５９）と、
ブック要素（１２）の特徴的寸法（Ａ，Ｂ，Ｃ）に従って、切断手段（１５）及び／又は第１の折畳み装置（１７，２７，３７）及び／又は第２の折畳み装置（１９，３９，５９）を制御する制御・指令ユニット（２１）と、を有する組立体。
【請求項２】
切断手段（２５，３５）は、ローラ（２５）と、回転切断要素（２５）を含み、回転切断要素（２５）は、それとローラ（２５）との間を連続的に送られているフィルム（１３）を切断するよう構成される、請求項１に記載の組立体。
【請求項３】
フィルム片（１６）の第１の端部（１８）を折畳む前記第１の折畳み装置（１７，２７，３７）は、第１のローラ対（２７，３７）と、第１の折畳みナイフ（１７）を含み、第１のローラ対（２７，３７）は、フィルム（１３）の第１のカレンダー通路を構成するために互いに接触するように配置され、第１の折畳みナイフ（１７）は、フィルム（１３）を第１のカレンダー通路に押込んで第１の端部（１８）を折畳む、請求項１又は２に記載の組立体。
【請求項４】
更に、第１のカレンダー通路の下流に配置された吸引ベルト（４７）を有し、吸引ベルト（４７）は、折畳まれた第１の端部（１８）を受入れ且つ保持する、請求項３に記載の組立体。
【請求項５】
フィルム片（１６）の第２の端部（２０）を折畳む前記第２の折畳み装置（１９，３９，５９）は、第２のローラ対（３９，５９）と、第２の折畳みナイフ（１７）を含み、第２のローラ対（３９，５９）は、フィルム（１３）の第２のカレンダー通路を構成するために互いに接触するように配置され、第２の折畳みナイフ（１７）は、フィルム（１３）を第２のカレンダー通路に押込んで第２の端部（２０）を折畳む、請求項１〜３のいずれか１項に記載の組立体。
【請求項６】
更に、フィルム（１３）を選択的に第２のローラ対（３９，５９）に送り込んだりそれから引出したりするように、送り込み方向及び引出し方向に作動可能な吸引ベルト（４９）を有する、請求項５に記載の組立体。
【請求項７】
更に、第２の折畳み端部（２０）を受入れてそれを前記吸引ベルト（４９）の上に案内するガイド（２９）を有する、請求項６に記載の組立体。
【請求項８】
第２の折畳み装置（１９，３９，５９）の一方のローラ（３９）及びそれと関連して使用される吸引ベルト（４９）はそれぞれ、第１の折畳み装置（１７，２７，３７）の一方のローラ（３７）及びそれと関連して使用される吸引ベルト（４７）でもある、請求項１〜７のいずれか１項に記載の組立体。
【請求項９】
更に、切断手段（１５，２５，３５）の上流に配置された印刷装置（１００）を有し、印刷装置（１００）は、前記フィルム（１３）に作用すると共に固定情報と可変情報の両方を印刷するのに適する、請求項１〜８のいずれか１項に記載の組立体。
【請求項１０】
更に、第２の折畳み装置（１９，２９，３９，４９，５９）の下流に配置された融着及び長手方向切断装置（１０１）を有し、融着及び長手方向切断装置（１０１）は、折畳み後のフィルム片（１６）に作用する、請求項１〜９のいずれか１項に記載の組立体。
【請求項１１】
更に、ブック要素（１２）の特徴的寸法（Ａ，Ｂ，Ｃ）を遠隔で受取ってそれを制御・指令ユニット（２１）に記憶させる手段を有する、請求項１〜１０のいずれか１項に記載の組立体。
【請求項１２】
更に、ブック要素（１２）をそれに対応するジャケット（１１）に結合させるために、ブック要素（１２）を融着装置（１０１）の下流に移動させるラインを有し、前記ラインは、ブック要素（１２）の特徴的寸法（Ａ，Ｂ，Ｃ）を読取ってそのデータを制御・指令ユニット（２１）に送るセンサを有する、請求項１〜１１のいずれか１項に記載の組立体。
【請求項１３】
コイル状に巻かれているフィルム（１３）から種々の寸法のブック要素（１２）用のジャケット（１１）を連続的に形成する方法であって、
コイル（１４）から巻出されたフィルム（１３）を、フィルム片（１６）を形成するように切断する工程と、
フィルム片（１６）の第１の端部（１８）を折畳む工程と、
フィルム片（１６）の第２の端部（２０）を折畳む工程と、
フィルムを切断する前記工程、第１の端部を折畳む前記工程、及び第２の端部を折畳む前記工程を、ブック要素（１２）の特徴的寸法（Ａ，Ｂ，Ｃ）に従って制御・指令ユニット（２１）によって協働させる工程と、
折畳み後のフィルム（１３）を長手方向に融着して第１及び第２の折畳み端部（１８，２０）の上部及び下部を閉じると共に、ブック要素（１２）の特徴的寸法（Ｃ）に従って折畳み後のフィルム（１３）の高さを調節する工程と、を有する方法。
【請求項１４】
第１の端部を折畳む前記工程及び第２の端部を折畳む前記工程を、フィルム（１３）のカレンダー通路を構成するために互いに接触するように配置されたローラ対（２７，３７，５９，３９）と、フィルム（１３）をカレンダー通路に押込むように構成された折畳みナイフ（１７，１９）と、ローラ対（２７，３７，５９，３９）の下流に配置された吸引ベルト(４７，４９)とによって行う、請求項１３に記載の方法。
【請求項１５】
更に、ブック要素（１２）の特徴的寸法（Ａ，Ｂ，Ｃ）を検出し、そのデータを、フィルムを切断する前記工程、第１の端部を折畳む前記工程、及び第２の端部を折畳む前記工程を協働させる前記制御・指令ユニット（２１）に送る工程を有する、請求項１３に記載の方法。
【発明の詳細な説明】
【技術分野】
【０００１】
本発明は、コイル状に巻かれたフィルムから種々の寸法のブック要素用ジャケットを連続的に形成する組立体及び方法に関する。
【背景技術】
【０００２】
今日、一般に多く用いられているブック（本）、例えば学生が使用する教科書に、保護用ジャケット又はカバーを取付け、ブックを可能な限り長期間にわたって保護することが知られている。
【発明の概要】
【発明が解決しようとする課題】
【０００３】
しかしながら、通常の経験によれば、保護すべきブックに適した寸法を有するジャケットを販売店で見つけることは容易ではない。
【０００４】
その結果、紙又はフィルムと接着テープを用いて、ジャケットを手で作ることがしばしば必要である。この場合、相当な時間が費やされ、個々の腕前に応じた結果になる。
【０００５】
さらに、紙又は色付きフィルムで作られたジャケットは、ブックの題名を覆ってしまい、ブックを特定することを困難にする。
【０００６】
そこで、本発明の目的は、コイル状に巻かれたフィルムから種々の寸法のブック要素用のジャケットを連続的に形成する組立体及び方法であって、極めて簡単であり、費用効果が良く、特に機能的な仕方で先行技術の上述の欠点を解決することができる組立体及び方法を提供することにある。
【０００７】
もう１つの目的は、コイル状に巻かれたフィルムから種々の寸法のブック要素用のジャケットを連続的に形成する組立体及び方法であって、必要なブック要素の寸法を備えたジャケットを毎回形成することができると共に題名、主題、クラス、ロゴ、顧客又は学生の名前、価格、バーコード又はブック若しくは製品の分類及び識別コードをブックに取付けて図式的に個人用にすることができる組立体及び方法を提供することにある。
【課題を解決するための手段】
【０００８】
本発明のこれら目的は、請求項１に記載されている組立体及び方法を提供することによって達成される。
【０００９】
本発明の別の特徴は、従属形式の請求項に記載されている。
【００１０】
コイル状に巻かれたフィルムから種々の寸法のブック要素用のジャケットを連続的に形成する本発明による組立体及び方法の特徴及び利点は、本発明を限定する目的ではなく例示として与えられている以下の説明及び図面から一層明らかになろう。
【図面の簡単な説明】
【００１１】
【図１】コイル状に巻かれたフィルムから種々の寸法のブック要素用のジャケットを連続的に形成する本発明による組立体の図である。
【図２】ジャケットを形成する一連の工程のうちの１つを示す図である。
【図３】ジャケットを形成する一連の工程のうちの１つを示す図である。
【図４】ジャケットを形成する一連の工程のうちの１つを示す図である。
【図５】ジャケットを形成する一連の工程のうちの１つを示す図である。
【図６】ジャケットを形成する一連の工程のうちの１つを示す図である。
【図７】ジャケットを形成する一連の工程のうちの１つを示す図である。
【図８】ジャケットを形成する一連の工程のうちの１つを示す図である。
【図９】ジャケットを形成する一連の工程のうちの１つを示す図である。
【図１０】ジャケットを形成する一連の工程のうちの１つを示す図である。
【図１１】ジャケットを形成する一連の工程のうちの１つを示す図である。
【図１２】ジャケットを形成する一連の工程のうちの１つを示す図である。
【図１３】ジャケットを形成する一連の工程のうちの１つを示す図である。
【図１４】ジャケットを形成する一連の工程のうちの１つを示す図である。
【図１５】図１の組立体を有する装置の図である。
【図１６】図１５の装置の平面図である。
【発明を実施するための形態】
【００１２】
図を参照すると、参照符号１０は、コイル状に巻かれたフィルムから種々の寸法のブック要素用のカバー又はジャケットを連続的に形成する本発明による組立体の１つの実施形態を示す。
【００１３】
当然、「フィルム」という用語は、プラスチックフィルムと紙その他のロールの形態をした材料のフィルムの両方を意味しており、本明細書において用いられる「ブック要素」という用語は、実際のブック（本）だけでなく、雑誌、又は読むときにめくるように構成された他の印刷製品、例えばカタログも含む。
【００１４】
図１に概略的に示す組立体１０は、コイル１４からの巻出し中にフィルム片１６を形成するためにフィルム１３を切断する手段１５，２５，３５と、フィルム片１６の第１の端部１８を折畳む第１の折畳み装置１７，２７，３７と、フィルム片１６の第２の端部２０を折畳む第２の折畳み装置１９，３９，５９を有している。
【００１５】
組立体１０は、更に、制御・指令ユニット２１を有し、制御・指令ユニット２１は、ジャケット１１を取付けるべきブック要素１２の特徴的寸法Ａ，Ｂ，Ｃに従って、切断手段１５、及び／又は、第１の折畳み装置１７，２７，３７と第２の折畳み装置１９，３９，５９を制御する。
【００１６】
このように、組立体１０を、切断の制御及び／又は折畳み部分の長さに基づいて作動させることによって、ブック要素１４に対して好ましくはぴったりの寸法を有するジャケットを形成することができる。
【００１７】
ブック要素１２の特徴的寸法を、組立体１０の作動説明において後で詳しく述べるように、制御・指令ユニット２１に予め記憶しておいてもよいし、遠隔コード読取り手段によって遠隔から制御・指令ユニット２１に送ってもよいし、組立体１０の上に設けられたセンサによって直接読取ってもよく、それにより、ジャケットを既に取付けた本をユーザに提供することができる。
【００１８】
したがって、有利には、客は、ブックの注文時、ジャケットで既に保護されたブックを受取ることを、本の寸法と無関係に依頼し、場合によっては、ロゴ、名前、題名、主題等を付けて個人用にすることを依頼する。
【００１９】
図示のように、切断手段２５，３５は、回転切断要素３５と、それに対向するローラ２５を含み、制御・指令ユニット２１が要求するとき、切断手段２５，３５の上流に配置された巻出しローラ３０１，３０２によって連続的に供給されているフィルム１３を切断する。
【００２０】
また、上述した巻出しローラ３０１，３０２は、フィルム片１６の寸法を制御するために可変速度で制御される。
【００２１】
特に、回転切断要素３５とローラ２５は、回転ブレード式のナイフと、それに対応するドラムとして働き、２つの折畳み部を含むジャケットを取付けるのに必要な正確な長さでフィルム１３を切断し、２つの折畳み部は、「ポケット」と呼ばれ、保護すべきブックの前表紙と裏表紙が配置されるところである。
【００２２】
したがって、上記切断は、ブックの高さ（すなわち、厚さ）Ａ及び幅Ｂに従って行われる。
【００２３】
上述したように、組立体１０は、ジャケット１１の前ポケット１８及び後ポケット２０をそれぞれ形成する第１の折畳み装置１７，２７，３７及び第２の折畳み装置１９，３９，５９を有している。
【００２４】
折畳み装置も、ブックの高さ（すなわち、厚さ）Ａ及び幅Ｂに従って作動する。
【００２５】
以下の説明の前に、切断手段２５，３５及び折畳み装置のうちの一方が、制御される仕方で作動し、他方が、周期サイクルで作動することを明確にしておく。
【００２６】
実際、全て同じ寸法を有するフィルム片１６を形成するために切断が周期的である場合、ジャケット１１をブック１２に適合させるのに、ポケット１８，２０の長さを変えれば十分である。逆に、折畳みが一定であり、例えば、全て同じ寸法を有するポケット１８，２０を形成する場合、ジャケット１１をブック１２に適合させるのに、フィルム片１６の長さを変えれば十分である。
【００２７】
もちろん、フィルム片１６の長さとポケット１８，２０の長さの両方に基づいて、切断手段２５，３５を、制御される仕方で且つ可変式に作動させることによって、全ての可能性のある組合せを得ることが可能である。
【００２８】
特に、可変式に作動させる場合、ポケットは、必要に応じて、様々な寸法で形成されるのがよい。
【００２９】
第１の折畳み装置１７，２７，３７は、切断手段の下流において前方に移動しているフィルム片１６の第１の端部１８を折畳む。
【００３０】
機械の説明と作動の詳細の両方において、第１の折畳み装置１７，２７，３７は、１つのフィルム片１６の端部に作用するけれども、このことは必ずしも正しくないことを述べる。
【００３１】
実際、第１の折畳み装置１７，２７，３７は、切断手段２５，３５がフィルム１３の反対側の端部２０を切断する前に、第１の端部１８に作用する。
【００３２】
しかしながら、上述したことは、機械の説明に悪影響を及ぼさず、図面に示す内容と整合している。
【００３３】
折畳み装置１７，２７，３７は、第１のローラ対２７，３７と、可動式の第１の折畳みナイフ１７を含み、第１のローラ対２７，３７は、フィルム１３のための第１のカレンダー通路を形成するために互いに接触するように配置され、第１の折畳みナイフ１７は、フィルム１３を第１のカレンダー通路の中に押込むように構成されている。
【００３４】
吸引ベルト４７が第１の折畳み装置１７，２７，３７の下流に設けられ、吸引ベルト４７は、第１の折畳み端部１８を受入れてそれを保持する。
【００３５】
また、第１のローラ対２７，３７と吸引ベルト４７の平面との間の接続平面４０１を設けることも可能である。
【００３６】
同様に、フィルム片１６の第２の端部２０に作用する第２の折畳み装置１９，２９，４９は、第２のローラ対３９，５９と、可動式の第２の折畳みナイフ１９を有し、第２のローラ対３９，５９は、第２のカレンダー通路を形成するために互いに接触するように配置され、第２の折畳みナイフ１９は、フィルム１３を第２のカレンダー通路の中に押込むように構成されている。
【００３７】
吸引ベルト４９が第２のローラ対３９，５９の下流に設けられ、吸引ベルト４９は、フィルム１３を選択的に第２のローラ対３９，５９に送り込んだりそれから引出したりするように、送り込み方向及び引出し方向に作動可能である。
【００３８】
さらに、第２の折畳み端部２０を受け入れてこれを吸引ベルト４９の上に案内するガイド２９が、第２の折畳み装置１９，３９，５９と一緒に作用する。
【００３９】
ブック要素の高さ（すなわち、厚さ）Ａ及び幅Ｂに従ってフィルムに作用する上述した２つの折畳み装置の協働を、組立体１０の作動説明において詳細に説明する。
【００４０】
図示の実施形態では、組立体１０は、ローラ３９及び吸引ベルト４９がそれぞれ、ローラ３７及び吸引ベルト４７と同じであるので、コンパクトである。
【００４１】
印刷装置１００を有する組立体１０を構成してもよく、印刷装置１００は、例えば、切断手段２５，３５の上流に配置され、フィルム１３に作用して、ジャケットを図式的に個人用にすることを可能にする。融着（接着）及び長手方向切断装置１０１を有する組立体１０を構成してもよく、融着（接着）及び長手方向切断装置１０１は、例えば、第２の折畳み装置１９，３９，５９の下流に配置され、折畳まれているフィルム片１６をブック要素１２の長さＣに従って切断して融着（接着）する。
【００４２】
特に、融着（接着）及び長手方向切断装置１０１は、ジャケット１１の上部及び下部を閉じるのに必要であり、固定された１つの長手方向融着（接着）装置と、調整可能な１つの長手方向融着（接着）装置を含み、調整可能な長手方向融着（接着）装置は、ブック要素１２の長さＣに適合するように構成され、その結果、適当な寸法のジャケットを形成する。
【００４３】
コイル状に巻かれたフィルム１３から種々の寸法のブック要素１２用のジャケット１１を連続的に形成する組立体１０を、本発明の目的に従って作動させる仕方を理解することは極めて容易である。
【００４４】
本発明による組立体１０は、コイル状に巻かれたフィルム１３から種々の寸法のブック要素１２用のジャケット１１を連続的に形成する。
【００４５】
特に、制御・指令ユニット２１は、ジャケット１１を取付けるべきブック要素１２の特徴的寸法Ａ，Ｂ，Ｃに従ってフィルム１３を切断して折畳む複数の部材を作動させる。
【００４６】
特徴的寸法Ａ，Ｂ，Ｃを、遠隔式に受取ってもよいし、制御・指令ユニット２１に記憶しておいてもよいし、ブック要素１２を測定するセンサ２０１，２０２，２０３を有するラインに沿ってその場で測定してもよい。
【００４７】
もし上記ラインが、第２の折畳み装置１９，３９，４９の下流の排出部２０４に差し向けられていれば、組立体１０の排出ベルト２０５のところで、ブック要素１２とそれに対応するジャケット１１の物理的結合が行われ、かくして、考えられる誤差が回避され且つジャケット１１とブック要素１２の正確な結合が促進されることが有利である。
【００４８】
一般に、コイル１４に巻かれているフィルム１３から種々の寸法のブック要素１２用の連続ジャケット１１を形成する方法は、コイル１４から巻出されたフィルム１３を切断してフィルム片１６を形成する工程と、フィルム片１６の第１の端部１８と第２の端部２０の両方を折畳んで、前ポケット及び後ポケットを形成する工程と、ジャケット１１を長手方向に融着して、ポケット１８，２０の上部と下部を閉じ、それと同時に、ジャケット１１自体の高さをブック要素１２の寸法Ｃに従って制御・指令ユニット２１によって調節する工程と、を有する。
【００４９】
図２〜図１４は、ジャケット１１を形成する工程を順番に示す。
【００５０】
最初、図２及び図３に示すように、回転切断要素３５は、第１のローラ対３７，２７の上流から差向けられたフィルム１３を切断し、フィルム１３は、第１の端部１８を有している。
【００５１】
この工程で、図４に示すように、第１の折畳みナイフ１７は、フィルム１３を移動させ、それを第１のローラ対３７，２７によって形成されたカレンダー通路に押込む。
【００５２】
第１のローラ対３７，２７の中へのフィルム１３の押込みを可能にし且つ容易にするために、２つのローラ３７，２７のうちの少なくとも一方は、ばねで付勢され且つ回転作動される。
【００５３】
図５に示すように、折畳まれたフィルム１３が吸引ベルト４７に接触するまで、第１のポケット１８を第１のローラ対３７，２７によって移動させ続け、図６及び図７に示すように、吸引ベルト４７は、第１のポケット１８の長さを正確に保ち、フィルム片１６の他方の端部２０もまた吸引ベルトの上に引付ける。
【００５４】
平面４０１は、第１のローラ対３７，２７から吸引ベルト４７までのジャケット１１の通行を助ける。
【００５５】
この状態で、第１の折畳みナイフ１７を休止位置に戻す。
【００５６】
図８に示すように、吸引ベルト４７上のフィルム片１６が或る特定の巻出し長さに達したら、吸引ベルト４７を逆方向に移動させると同時に、図９に示すように、第２の折畳みナイフ１９を、フィルム片１６の第２の端部２０に作用させ、フィルム片１６を、第２のローラ対３９，５９によって形成されたカレンダー通路の中に押込む。第２のローラ３９，５９対の一方のローラは、ばねで付勢されている。
【００５７】
図１０に示すように、吸引ベルト４７の逆方向移動と第２のローラ対３９，５９の回転により、第２のポケット２０を形成する。
【００５８】
この状態で、図１１に示すように、第２の折畳みナイフ１９を休止状態に戻す。
【００５９】
所要の寸法の第２のポケット２０を形成したら、第２のポケット２０を吸引ベルト４７の上に配置するために、吸引ベルト４７の移動方向と第２のローラ対３９，５９の移動方向を両方とも逆にする。
【００６０】
さらに、図１２に示すように、可動ガイド２９による支援が提供され、図１３及び図１４に示すように、可動ガイド２９の形状は、第２の端部２０が吸引ベルト４７の上に引かれる間に第２の端部２０がカールする恐れを回避するように定められている。
【００６１】
また、第２のポケット２０の所定の排出方向を達成するために、２つのローラ５９，３９の位置が僅かにずらされている。
【００６２】
好ましくは、可動ガイド２９は、吸引ベルト４７と一緒に作動しなければならないので、可動ガイド２９及び吸引ベルと４７は両方とも、互いに衝突することなしに互い違いに配置されるように、櫛状又はフォーク状の形状を有している。
【００６３】
ポケット１８，２０の上部及び下部を閉じると共にジャケット１１自体の高さを調節するのに適し長手方向融着装置１０１が、上述したように形成されたジャケット１１の上に作用する。
【００６４】
かくして、コイル状に巻かれたフィルム１３から種々の寸法のブック要素１２用のジャケット１１を連続的に形成する本発明による組立体及び方法は、上述した目的を達成できることが分かる。
【００６５】
実際、コイル状に巻かれたフィルム１３から種々の寸法のブック要素１２用のジャケット１１を連続的に形成する本発明による組立体及び方法は、要求されるブック要素の寸法を有するジャケットを毎回形成することができると共に、題名、主題、クラス、ロゴ、顧客又は学生の名前、価格、バーコード又はブック要素若しくは製品の分類及び識別コードを用いて、ブック要素を図式で個人用にすることを可能にする。
【００６６】
有利には、寸法の仕様を、組立体自体が遠隔から受取って読んでもよいし、手で入力してもよい。
【００６７】
コイル状に巻かれたフィルムから種々の寸法のブック要素用のジャケットを連続的に形成する上記のように構成された本発明の組立体及び方法は、本発明の技術的思想の及ぶ多くの改造例及び変形例が可能であり、更に、すべての細部は、技術的に均等な要素で置換可能である。実際、用いられる材料並びにこれらの寸法は、技術上の必要性に応じて任意のものである。
【符号の説明】
【００６８】
１０  組立体
１１  ジャケット
１２  ブック要素
１３  フィルム
１４  コイル
１５  切断手段
１６  フィルム片
１７  第１の折畳みナイフ（第１の折畳み手段）
１８  第１の端部（第１のポケット）
１９  第２の折畳みナイフ（第２の折畳み手段）
２０  第２の端部（第２のポケット）
２１  制御・指令手段
２５  ローラ（切断手段）
２７，３７  第１のローラ対（第１の折畳み手段）
２９  ガイド
３５  回転切断要素（切断手段）
３９，５９  第２のローラ対（第２の折畳み手段）
４７  吸引ベルト
４９  吸引ベルト
１０１  長手方向融着装置
Ａ  ブック要素の高さ（すなわち、厚さ）
Ｂ  ブック要素の幅
Ｃ  ブック要素の長さ
【図１】
0005980589.tif 000002
【図２】
0005980589.tif 000003
【図３】
0005980589.tif 000004
【図４】
0005980589.tif 000005
【図５】
0005980589.tif 000006
【図６】
0005980589.tif 000007
【図７】
0005980589.tif 000008
【図８】
0005980589.tif 000009
【図９】
0005980589.tif 000010
【図１０】
0005980589.tif 000011
【図１１】
0005980589.tif 000012
【図１２】
0005980589.tif 000013
【図１３】
0005980589.tif 000014
【図１４】
0005980589.tif 000015
【図１５】
0005980589.tif 000016
【図１６】
0005980589.tif 000017